(57)【特許請求の範囲】
【請求項１】
ＣＡＴＶシステムに使用されるタップオフに、同システムの施設側から高周波信号に重畳して送られる電源電圧を、加入者宅内のＣＡＴＶ用端末機器の駆動に必要な電圧まで降圧する降圧部を設けてなることを特徴とするＣＡＴＶ用変圧機能付タップオフ。
【発明の詳細な説明】
【０００１】
【発明の属する技術分野】
本発明はＣＡＴＶシステムの分配線と加入者宅の引込線とを接続するためのＣＡＴＶ用タップオフに関するものである。
【０００２】
【従来の技術】
双方向ＣＡＴＶシステムは近年は、単なる映像信号やデータの伝送に利用されるだけではなく、電話サービスにも利用されている。双方向ＣＡＴＶシステムを利用した電話サービスの一例として図４に示す様なシステムがある。これは、加入者Ａ側に置かれた端末機（ＶＩＵ：Ｖｏｉｃｅ  Ｉｎｔｅｒｆａｃｅ  Ｕｎｉｔ）からのデジタル信号をＣＡＴＶシステムの上り帯域を利用して、保安器Ｋ、タップオフＤ、双方向増幅器Ｃを通してヘッドエンド装置Ｂに置かれた電話用センター装置まで伝送し、そのデジタル信号を電話用センター装置の交換器によりＣＡＴＶシステムの下り帯域に乗せて双方向増幅器Ｃ、タップオフＤ、保安器Ｋを通して他の加入者側の端末機に伝達し、加入者間同士が通話出来るようにしたものである。なお、図４のタップオフＤは図２に示す様に入力端Ａと出力端Ｂの間に直列に設けられたコンデンサＣ１  、Ｃ２  、両コンデンサＣ１  、Ｃ２  間に設けられた分岐器Ｇ、分配器Ｈ、分配器Ｈと分岐出力端子Ｉ１  、Ｉ２  間に設けられたコンデンサＣ３  、Ｃ４  、入力端Ａと出力端Ｂ間に並列に設けられたチョークコイルＪ１  、Ｊ２  、両チョークコイルＪ１  、Ｊ２  間に設けられたコンデンサＣ５  とから構成されている。チョークコイルＪ１  、Ｊ２  はタップオフの入力側又は出力側に接続される増幅器に電源を送電するために設けられたものである。
【０００３】
【発明が解決しようとする課題】
ＣＡＴＶシステムにより電話サービスを実現する場合、現状のＣＡＴＶシステムでは、加入者側の電話用端末機（ＶＩＵ）を初めとする各種の端末側機器は全て加入者側の電源で駆動されているため、雷障害等により加入者側が停電した場合、加入者側の端末機が動作しなくなり、電話が通じなくなってしまうという問題があった。
【０００４】
【課題を解決するための手段】
本発明は前記課題を解決するため、ＣＡＴＶシステムでは施設側から加入者側へ送られる高周波信号に、ＣＡＴＶシステムの幹線、分岐幹線等に接続されている幹線増幅器、幹線分岐増幅器等のＣＡＴＶ用機器を駆動するための電源（通常はＡＣ６０Ｖ）が重畳されていることに着目し、その電源を加入者側へ伝送して加入者宅内のブースタや電話用端末機（ＶＩＵ）等を動作させ、端末側が停電しても電話機能だけは確保できるようにしたものである。施設側より加入者宅側に同軸ケ−ブルを利用して電圧を送る場合は規定（通商産業省令第６１号第２４９条）により３０Ｖ以下で送電しなければならない。そこで本発明のＣＡＴＶ用変圧機能付タップオフは、図１に示す様にＣＡＴＶシステムに使用されるタップオフに、同システムの施設側から高周波信号に重畳して送られる電源電圧を、加入者宅内のＣＡＴＶ用機器の駆動に必要な電圧まで降圧する降圧部１を設けてなるものである。
【０００５】
【発明の実施の形態１】
本発明のＣＡＴＶ用変圧機能付タップオフの実施の形態を図１に基づいて詳細に説明する。図１に示すＣＡＴＶ用変圧機能付タップオフは入力端Ａと出力端Ｂの間に直列に設けられたコンデンサＣ１  、Ｃ２  、両コンデンサＣ１  、Ｃ２  間に設けられた分岐器Ｇ、分配器Ｈ、分配器Ｈと分岐出力端子Ｉ１  、Ｉ２  間に設けられたコンデンサＣ３  、Ｃ４  、入力端Ａと出力端Ｂの間に並列に設けられたチョークコイルＪ１  、Ｊ２  、両チョークコイルＪ１  、Ｊ２  間に設けられたコンデンサＣ５  とを備えていることにおいては図２のタップオフと同じである。
【０００６】
本発明では図１の鎖線で囲割れた降圧部１と、降圧された電源を分岐出力端子Ｉ１  、Ｉ２  に伝送する電源伝送部２とを図２のタップオフに付加したものである。この降圧部１はチョークコイルＪ１  、Ｊ２  間とアースとの間に降圧トランス３を設けてなる。降圧トランス３はそれ以外のトランスであってもよい。
【０００７】
図１の電源伝送部２は分配器Ｈから配線された２つの分配線４、５間にチョークコイルＪ３  、Ｊ４  を接続し、両チョークコイルＪ３  、Ｊ４  間と降圧トランス３の巻線途中との間にチョークコイルＪ５  を設け、チョークコイルＪ５  とアースとの間にコンデンサ６  を設けてなる。
【０００８】
【使用例】
従来のタップオフに替えて本発明のＣＡＴＶ用タップオフを使用し、ＣＡＴＶシステムの施設側から同軸ケーブルに送り出される高周波信号に、同施設側の無停電電源から電源（通常は６０Ｖ）を重畳させて加入者側へ送ると、本発明のＣＡＴＶ用タップオフの入力端Ａに入力した高周波信号は電源カット用のコンデンサＣ１  、Ｃ２  を通過して出力端Ｂに出力される。一方、高周波信号に重畳されている電源（低周波）はコンデサＣ１  、Ｃ２  によりカットされて高周波伝送路６には流れず、チョークコイルＪ１  、Ｊ２  を通して保安器の出力端Ｂに出力される。このとき、電源は降圧トランス３にも流れ、同トランス３の巻線途中から取出されて巻線比に応じた電圧（通常は３０Ｖ）に降圧される。この電源はチョークコイルＪ３  、Ｊ４  を通して夫々の分岐出力端Ｉ１  、Ｉ２  に高周波信号と共に出力され、各分岐出力端Ｉ１  、Ｉ２  に接続される保安器（図４のＫ）に供給される。このとき保安器Ｋに電源通過機能を備えた図３の保安器（本件出願人が本件出願と同日付けで出願した保安器）を使用すれば、図１の分岐出力端Ｉ１  、Ｉ２  から保安器に入力された電源は同保安器を通過し、加入者側の同軸ケーブルに接続される端末機器に供給されてそれらを動作させることができる。この場合、加入者側に供給される電源は施設側の無停電電源装置からの供給であるため、加入者側が停電してもそれらの端末機器は停止することなく作動し続ける。
【０００９】
図３の電源通過機能付保安器は保安系路１１と電源通過部１２とから構成され、保安系路１１は保安器の入力端Ａと出力端Ｂとの間に直列に設けた電源カット用のコンデンサＣ１  、Ｃ２  と、一端が入力端Ａの中心導体とコンデンサＣ１  との間に接続され他端がアースＥに接地されたアレスター（ＡＲＲ）１５と、一端が両コンデンサＣ１  、Ｃ２  の間に接続され他端がアースＥに接地されたチョークコイル１６と、一端が出力端Ｂの外部導体に接続され他端がアースＥに接地されたコンデンサＣ３  とから構成されている。電源通過部２は一次側と二次側の巻線比が１対１の絶縁型トランス１３と、その一次側に接続された一次側チョークコイル１７と、二次側に接続された二次側チョークコイル１８と、ポジスタ１９とから構成され、これが保安系路１１に並列に接続されてなる。
【００１０】
本発明のＣＡＴＶ用タップオフを図３の電源通過機能付保安器と組合わせて使用すると、同保安器には保安系路１１があるため従来の保安器と同様にＣＡＴＶシステムの施設側及び加入者側の設備を雷障害、高圧混触等から保護することができる。また、本発明のＣＡＴＶ用タップオフの分岐出力端Ｉ１  、Ｉ２  から保安器の入力端Ａに入力された高周波信号は電源カット用のコンデンサＣ１  、Ｃ２  を通過して出力端Ｂに出力される。高周波信号に重畳されている電源はコンデンサＣ２  によりカットされて保安系路１１には流れず、一次側チョークコイル１７を通して絶縁型トランス１３の一次側に流れ、それが同トランス１３の巻線比（１対１）に応じて同トランスの２次側にそのまま出力され、二次側チョークコイル１８を通して保安器の出力端Ｂに出力される。この結果、施設側から加入者側へ電源が供給され、この電源により加入者側の同軸ケーブルに接続される端末機器を常時、動作させることができる。
【００１１】
【発明の効果】
本発明のＣＡＴＶ用タップオフをＣＡＴＶシステムに使用すれば、ＣＡＴＶシステムの施設側の増幅器用電源の一部を加入者側に供給するのに適する電圧に降圧して供給することができる。このため同軸ケーブルに接続される加入者側の端末機器、特に、電話用端末機を常時駆動させることができ、加入者側が停電してもＣＡＴＶシステムの電話用端末機の動作を確保することができ、加入者側が停電しても電話だけは通話可能となる。
【図面の簡単な説明】
【図１】本発明のＣＡＴＶ用タップオフの実施の形態を示す結線図。
【図２】従来のＣＡＴＶ用タップオフの説明図。
【図３】本件出願人が本件出願と同日に出願した電源通過機能付保安器の結線図。
【図４】ＣＡＴＶシステムを利用した電話通信の説明図。
【符号の説明】
１は降圧部
【図１】
0003614950.tif 000002
【図２】
0003614950.tif 000003
【図３】
0003614950.tif 000004
【図４】
0003614950.tif 000005